(57)【要約】【課題】感度試験のための作業負担を減らすことができる火災感知器を提供する。【解決手段】火災に基づく物理現象を検出する検出部と、検出部の感度を測定する感度測定部と、発光部と、検出部の検出値に基づいて火災の発生を検出し、火災の発生が検出された場合に、発光部を発光させる処理部と、を備え、処理部は、火災の発生が検出された場合に、感度測定部が検出した検出部の感度に応じた時間間隔で、発光部を点滅させる。【選択図】図４
2018136846.tif 000002
【特許請求の範囲】
【請求項１】
火災に基づく物理現象を検出する検出部と、
前記検出部の感度を測定する感度測定部と、
発光部と、
前記検出部の検出値に基づいて火災の発生を検出し、前記火災の発生が検出された場合に、前記発光部を発光させる処理部と、を備え、
前記処理部は、前記火災の発生が検出された場合に、前記感度測定部が検出した前記検出部の感度に応じた時間間隔で、前記発光部を点滅させる
ことを特徴とする火災感知器。
【請求項２】
感知器回線に接続され、前記火災の発生が検出された場合に前記処理部からの出力に基づいて火災信号を出力するスイッチング回路と、
前記処理部からの出力に基づいて前記発光部を発光させる点灯回路と、を備えた
ことを特徴とする請求項１記載の火災感知器。
【請求項３】
前記処理部は、前記火災の発生が検出された場合に、
前記感度測定部が検出した感度が正常範囲である場合と、
前記感度測定部が保持する感度が前記正常範囲外の値である第１警戒範囲である場合と、
前記感度測定部が保持する感度が前記正常範囲外かつ前記第１警戒範囲外の値である第２警戒範囲である場合とで、
それぞれ異なる時間間隔で、前記発光部を点滅させる
ことを特徴とする請求項１または請求項２に記載の火災感知器。
【請求項４】
前記発光部が点滅していることが目視で識別される時間間隔で、前記処理部は、前記発光部を点滅させる
ことを特徴とする請求項１〜請求項３のいずれか一項に記載の火災感知器。
【発明の詳細な説明】
【技術分野】
【０００１】
本発明は、物理現象に基づいて火災を検出する検出部を備え、この検出部の感度を出力する火災感知器に関する。
【背景技術】
【０００２】
煙、赤外線、紫外線、及び燃焼ガス等の火災に起因する物理現象を検出し、その検出結果に基づいて火災を検出する火災感知器がある。火災感知器は、天井又は壁に設置された状態で使用され、使用期間の長期化に伴って物理現象を検出する感度が変化しうる。このため、火災感知器の感度を確認するために、定期的に感度の試験を行う必要がある。
【０００３】
そこで、煙感知器を設置場所から取り外し、取り外した煙感知器を感度試験装置に装着して行う感度試験方法が提案されている（例えば、特許文献１参照）。
【先行技術文献】
【特許文献】
【０００４】
【特許文献１】特開２０１５−１６１９６１号公報（第１０頁）
【発明の概要】
【発明が解決しようとする課題】
【０００５】
上記特許文献１に記載の感度試験装置を用いた感度試験は、火災感知器である煙感知器が天井等の設置場所から取り外された状態で行われる。試験のために火災感知器が取り外されているときには、未監視状態となるのを防ぐために、代替の火災感知器を設置する必要がある。このため、火災感知器の設置場所によっては、火災感知器の取り外しと設置のために足場を組まなければならないこともあり、試験のための作業負荷が大きくなるとともに、試験を行う時間帯にも大きな制約が生じてしまう。また、火災感知器の感度は、雰囲気温度の影響を受ける。このため、火災感知器が設置された天井等の設置場所と感度試験が行われる場所とで、雰囲気温度が異なる場合には、火災感知器から出力される検出値に差異が生じうる。そうすると、感度試験装置で検出される火災感知器の感度が、設置場所における実際の火災感知器の感度を正確に示していないおそれがあった。
【０００６】
本発明は、上記のような課題を背景としてなされたものであり、感度試験のための作業負担を減らすことができる火災感知器を提供するものである。また、本発明は、設置された場所から取り外されることなく、感度試験が行われる火災感知器を提供するものである。
【課題を解決するための手段】
【０００７】
本発明の火災感知器は、火災に基づく物理現象を検出する検出部と、前記検出部の感度を測定する感度測定部と、発光部と、前記検出部の検出値に基づいて火災の発生を検出し、前記火災の発生が検出された場合に、前記発光部を発光させる処理部と、を備え、前記処理部は、前記火災の発生が検出された場合に、前記感度測定部が検出した前記検出部の感度に応じた時間間隔で、前記発光部を点滅させるものである。
【発明の効果】
【０００８】
本発明によれば、火災感知器の感度試験に係る作業負担を軽減できる。また、火災感知器の設置場所で感度試験を行うことができるため、火災感知器の感度が精度よく検出される。
【図面の簡単な説明】
【０００９】
【図１】実施の形態１に係る火災感知器が設置される監視システムの概要図である。
【図２】実施の形態１に係る火災感知器のブロック図である。
【図３】実施の形態１に係る火災感知器の検出部の感度を説明する図である。
【図４】実施の形態１に係る火災感知器の動作を説明するフローチャートである。
【図５】実施の形態１に係る火災感知器のスイッチング回路及び発光部の動作を説明する図である。
【発明を実施するための形態】
【００１０】
本発明に係る火災感知器の実施の形態を、図面に基づいて説明する。なお、以下に示す図面の形態によって本発明が限定されるものではなく、本発明の技術思想の範囲内において、適当な変更ならびに修正がなされうる。
【００１１】
実施の形態１．
図１は、実施の形態１に係る火災感知器１０が設置される監視システムの概要図である。図１に示す監視システムは、いわゆるＰ型（Ｐｒｏｐｒｉｅｔａｒｙ  ｔｙｐｅ）の監視システムである。火災感知器１０は、感知器回線３０を構成するコモン線３１及びライン線３２に接続されている。この２線式の感知器回線３０を介して、火災感知器１０は、火災受信機２０に接続されている。１本の感知器回線３０には、１台以上の火災感知器１０が接続される。火災受信機２０には、複数本の感知器回線３０を接続することもできる。火災を検出した火災感知器１０は、感知器回線３０を介して火災信号を火災受信機２０に送信する。火災受信機２０は、火災感知器１０からの火災信号を取得すると、音響警報装置、表示警報装置、及び光警報装置のいずれか一つ以上を作動させて火災警報を行うとともに、防火扉及びシャッター等の防排煙装置を動作させる。
【００１２】
図２は、実施の形態１に係る火災感知器１０のブロック図である。火災感知器１０は、煙、赤外線、紫外線、及び燃焼ガス等の火災に起因する物理現象を検出する検出部を有し、火災に起因する物理現象を検出した場合には、火災信号を出力するとともに火災の発生を報知する。本実施の形態では、火災感知器１０が、火災に起因する煙を検出する検出部を備えた煙感知器である場合を例に説明する。なお、本発明は炎感知器及びガス感知器等の他の火災感知器に適用することもできる。
【００１３】
火災感知器１０は、煙を検出する検出部である発光回路１１及び受光回路１２と、火災感知器１０の動作を制御するマイコン１３と、発光部１６とを備える。本実施の形態の火災感知器１０は、さらに、ＥＥＰＲＯＭ１４と、スイッチング回路１５と、点灯回路１７とを備える。
【００１４】
発光回路１１及び受光回路１２は、火災に基づく物理現象を検出する検出部を構成している。これ以降の説明では、発光回路１１及び受光回路１２を、検出部と総称する場合がある。発光回路１１は発光ダイオード（ＬＥＤ）を備え、受光回路１２は発光回路１１の発光ダイオードが発した光を検出するフォトダイオードを備えている。発光回路１１の発光ダイオード及び受光回路１２のフォトダイオードは、火災感知器１０の筐体内に区画形成された暗箱内のラビリンスに設置されている。発光ダイオードが発した光が、ラビリンス内に入った煙粒子によって散乱され、この散乱光をフォトダイオードが受光することで、煙が検出される。受光回路１２は、フォトダイオードの出力を増幅するアンプを備えていてもよい。
【００１５】
マイコン１３は、ＭＰＵ１３１と、メモリ１３２とを備えている。マイコン１３は、発光回路１１、受光回路１２、ＥＥＰＲＯＭ１４、スイッチング回路１５、発光部１６、及び点灯回路１７のそれぞれが接続される複数の入出力ポートを備えており、この入出力ポートを介して各部との間で信号を入出力する。マイコン１３は、受光回路１２から出力されるアナログ値をデジタル値に変換するアナログデジタル変換器を有しており、受光回路１２からの出力をデジタル値（Ａ／Ｄ値）として取り込む。マイコン１３に取り込まれたＡ／Ｄ値は、火災発生の検出及び検出部の感度の検出に用いられる。マイコン１３は、取り込んだＡ／Ｄ値に対して種々の調整処理を施してもよい。例えば、検出部を構成する部品の個体差や設置環境等を要因とするＡ／Ｄ値の差異を吸収するための調整処理を施し、調整後のＡ／Ｄ値を用いて火災発生の検出及び感度の検出を行ってもよい。
【００１６】
マイコン１３は、メモリ１３２に記憶されたプログラムをＭＰＵ１３１が実行することによって、感度測定部１３３及び処理部１３４を含む火災感知器１０が有する機能を実現する。なお、本実施の形態では、マイコン１３が感度測定部１３３及び処理部１３４の両機能を実現する例を説明するが、これらの機能を別のマイコンによって構成してもよいし、いずれか又は両方の機能を専用の電子回路で構成してもよい。
【００１７】
ＥＥＰＲＯＭ１４は、書き換え可能な不揮発性メモリである。ＥＥＰＲＯＭ１４には、火災の検出に用いられる閾値Ｄ及び検出部の感度の検出に用いられる閾値が、Ａ／Ｄ値と対比されるデータとして格納されている。火災感知器１０が製造される際に、検出部の感度が調整された状態でのこれらのデータが、ＥＥＰＲＯＭ１４に書き込まれる。
【００１８】
スイッチング回路１５は、火災が検出されたときに、マイコン１３からの出力に基づいてオンする自己保持回路である。このスイッチング回路１５が接点を閉じた状態を保持することにより、火災受信機２０に接続されているコモン線３１とライン線３２との間のインピーダンスが、高インピーダンスから低インピーダンスに変化する。感知器回線３０には、火災が検出されていない通常時には、例えば約２４Ｖの電圧がかけられているが、スイッチング回路１５の接点が閉じて低インピーダンスに変化することで、感知器回線３０の電圧値が例えば約９Ｖになる。この電圧の変化を検出すると、火災受信機２０は、火災が検出されたと判定する。すなわち、感知器回線３０を低インピーダンス状態に維持することを、火災感知器１０から火災受信機２０への火災信号としている。
【００１９】
発光部１６は、火災（本実施の形態では、煙）が検出されたことを視覚的に報知するものである。発光部１６は、赤色などの可視光を発光する発光ダイオード（ＬＥＤ）で構成することができる。火災が検出されると、スイッチング回路１５による火災受信機２０への火災信号の出力と併せて、発光部１６が連続点灯することで火災の発生を利用者に対して報知する。本実施の形態の発光部１６は、火災が検出されたことを利用者に対して報知する機能に加えて、火災感知器１０の検出部の感度を出力する機能を有している。感度を出力する機能については、後述する。発光部１６は、火災感知器１０の、外部から視認される位置に設けられている。火災感知器１０は複数の発光部１６を備えてもよく、このようにすることで、火災感知器１０が天井又は壁に設置された状態において、発光部１６が利用者に視認されやすくなる。
【００２０】
点灯回路１７は、マイコン１３からの出力に基づいて、連続的に、あるいは断続的にオンする。点灯回路１７がオンすると、発光部１６が点灯する。
【００２１】
ここで、検出部の感度の検出について説明する。経年に伴う汚れによって、発光回路１１に設けられた発光ダイオードからの光の透過量の減衰と、受光回路１２に設けられたフォトダイオードの受光量の減衰とが生じる。また、ラビリンス内壁に付着した埃等の汚れによっても、フォトダイオードの受光量が変動する。これらの要因により、検出部の感度が変化する。感度測定部１３３は、煙がない状態での検出部の出力に基づくＡ／Ｄ値と、ＥＥＰＲＯＭ１４に格納されている感度の閾値とを対比することにより、検出部の感度を検出する。すなわち、煙感知器である本実施の形態の火災感知器１０は、検出する煙濃度を用いて、検出部の感度を示す。検出部の感度は、メモリ１３２に格納される。
【００２２】
ＥＥＰＲＯＭ１４に格納される、検出部の感度の検出に用いられる閾値について、さらに説明する。図３は、実施の形態１に係る火災感知器１０の検出部の感度を説明する図である。本実施の形態では、検出部の感度は、正常範囲、第１警戒範囲及び第２警戒範囲という３種類に区分される。正常範囲は、火災の検出を正常に行える状態の感度を意味する。第１警戒範囲は、正常範囲に対して感度の高い側又は低い側に外れている範囲であり、本実施の形態では点検を要する状態の感度を意味する。第２警戒範囲は、正常範囲及び第１警戒範囲を外れている範囲であり、本実施の形態では故障状態の感度を意味する。ＥＥＰＲＯＭ１４には、Ａ／Ｄ値をこの３段階のいずれかに分類するための複数の閾値が、格納されている。具体的には、正常範囲の上限値を示す閾値ＤＵ、正常範囲の下限値を示す閾値ＤＬ、第１警戒範囲の上限値を示す閾値Ｄ１Ｕ、第１警戒範囲の下限値を示すＤ１Ｌである。なお、検出部の感度の区分数は、一例であり、少なくとも正常範囲か否かで区分できればよい。また、検出部の感度を４種類以上に区分してもよい。
【００２３】
感度測定部１３３は、Ａ／Ｄ値と閾値ＤＵ、ＤＬ、Ｄ１Ｕ、Ｄ１Ｌとを対比することで、検出部の感度が正常範囲、第１警戒範囲及び第２警戒範囲のいずれに該当するかを判定する。この検出部の感度の判定においては、１つのＡ／Ｄ値を用いるだけではなく、過去に検出された複数のＡ／Ｄ値を用いることもできる。例えば、Ａ／Ｄ値をリングバッファ形式でメモリ１３２に格納しておき、これら過去に検出されたＡ／Ｄ値の平均値と、閾値とを比較することで、検出部の感度を検出することができる。このように平均値を用いることで、外乱又はノイズによるＡ／Ｄ値のバラツキによる、感度の検出精度の低下を抑制することができる。
【００２４】
処理部１３４は、検出部の出力に基づくＡ／Ｄ値と、メモリ１３２に格納されている火災判定の閾値Ｄとを比較することによって、火災が発生しているか否かを検出する。また、処理部１３４は、メモリ１３２に格納されている検出部の感度に基づいてＡ／Ｄ値を補正した値を用いて、火災が発生しているか否かを検出してもよい。例えば、検出部の感度が高い側の第１警戒範囲である場合、すなわち感度が高めの状態にある場合には、検出部の出力に基づくＡ／Ｄ値を用いて火災発生の有無を判定すると、実際には火災が発生していないにもかかわらず火災であると判定されるおそれがある。このため、検出部の感度の変化によるＡ／Ｄ値の変動を相殺するための補正を行い、その補正後の値を用いることで、より正確に火災の発生を検出することができる。
【００２５】
図４は、実施の形態１に係る火災感知器１０の動作を説明するフローチャートである。火災感知器１０のマイコン１３の基本的な動作を、図４を参照して説明する。図４に示す動作は、火災感知器１０に電源が投入されていて、かつマイコン１３が起動された状態で実行されるものである。
【００２６】
マイコン１３は、大まかには、火災検出処理（ＳＴ１）と、感度測定処理（ＳＴ３）とを、周期的に実行している。ステップＳＴ１の火災検出処理においては、受光回路１２の検出値に基づくＡ／Ｄ値とＥＥＰＲＯＭ１４に格納されている火災検出の閾値Ｄとを比較する。ステップＳＴ２において、補正後のＡ／Ｄ値が閾値Ｄを超えている場合には、火災が発生していると判定し（ＳＴ２；ＹＥＳ）、補正後のＡ／Ｄ値が閾値Ｄ以下であれば、火災が発生していないと判定する（ＳＴ２；ＮＯ）。
【００２７】
ステップＳＴ３の感度測定処理においては、受光回路１２からの出力値をＡ／Ｄ値として取得し（ＳＴ４）、このＡ／Ｄ値に基づいて感度を判定する（ＳＴ５）。マイコン１３は、ステップＳＴ５で求めた検出部の感度を、メモリ１３２に保存する（ＳＴ６）。
【００２８】
ステップＳＴ１の火災検出処理の結果、火災が発生していると判定した場合には（ＳＴ２；ＹＥＳ）、マイコン１３は、スイッチング回路１５に信号を出力して、スイッチング回路１５の接点を閉じる（ＳＴ７）。スイッチング回路１５は、接点を閉じた状態を自己保持する。続けてマイコン１３は、メモリ１３２に格納された検出部の感度に応じた時間間隔で、発光部１６を点滅させる（ＳＴ８）。つまり、スイッチング回路１５の接点を閉じて火災信号を出力してから発光部１６の点滅を行う。これにより、まずは火災感知器１０が火災を検出すると、火災受信機２０に確実に火災信号を送信することができる。次に、マイコン１３は、点灯回路１７を制御して、発光部１６を連続点灯させる（ＳＴ９）。
【００２９】
なお、図４では、火災検出処理及び感度測定処理の両方を、周期的に実行するものとして説明したが、火災検出処理の頻度に対して感度測定処理の頻度を下げてもよい。例えば、複数回の火災検出処理毎に、１回の感度測定処理を実行してもよい。
【００３０】
図５を参照して、図４のステップＳＴ２において火災の発生が検出された場合の、スイッチング回路１５及び発光部１６の動作を説明する。図５は、実施の形態１に係る火災感知器１０のスイッチング回路１５及び発光部１６の動作を説明する図である。火災の発生が検出されると、スイッチング回路１５は接点を閉じ、接点が閉じた状態を自己保持する。発光部１６は、検出部の感度に応じた時間間隔Ｔ１で、点滅する。感度に応じた時間間隔Ｔ１で発光部１６が点滅することを、検出部の感度の出力としている。図５では、発光部１６が、感度を出力するために３回点灯する例を示している。
【００３１】
発光部１６が感度を出力するための点滅を行う際、点灯してから次に点灯するための時間間隔Ｔ１の値は、ＥＥＰＲＯＭ１４に感度毎に格納されている。具体的には、正常範囲に対応する値Ｔ１−１、第１警戒範囲に対応する値Ｔ１−２、及び第２警戒範囲に対応する値Ｔ１−３が、ＥＥＰＲＯＭ１４に格納されている。値Ｔ１−１、値Ｔ１−２、値Ｔ１−３は、互いに異なる値である。なお、図５に示した発光部１６の点滅回数は一例であり、点滅回数は複数であればよい。
【００３２】
発光部１６は、感度を出力する点滅動作の後、時間間隔Ｔ２をあけて、連続点灯する。発光部１６が連続点灯することで、火災発生の視覚的な報知としている。
【００３３】
以上のように構成された火災感知器１０の試験について説明する。火災感知器１０に対しては、検出部の感度試験に加え、火災感知器１０が設置された状態での作動試験が求められている。この作動試験は、設置された火災感知器１０に対して、火災が発生した状況を擬似的に与え、火災感知器１０が正常に作動することを確認するものである。煙感知器である火災感知器１０の作動試験は、設置された状態の火災感知器１０に対し、試験機のハウジングによって火災感知器１０を覆い、ハウジング内に試験的に煙を供給することによって行われる。試験的に煙が供給され、この煙によって火災の発生を検出した火災感知器１０は、検出部の感度に応じた時間間隔Ｔ１で発光部１６が点滅することにより、感度を出力する。感度の出力のための点滅の後、発光部１６が連続点灯することにより、火災感知器１０が正常に作動したことを視覚的に報知する。このため、作動試験及び感度試験を行う作業者は、一度に両方の試験を行うことができる。なお、火災の発生が検出されたときに、スイッチング回路１５の接点が閉じられることにより、火災信号が火災受信機２０に出力される。
【００３４】
発光部１６が点滅することによって出力される火災感知器１０の感度は、感度試験を行う作業者が、目視により読み取ることができる。作業者が目視により火災感知器１０の感度を読み取る場合には、好ましくは、値Ｔ１−１、値Ｔ１−２、値Ｔ１−３は、いずれも２秒以上の値である。このようにすることで、発光部１６が点滅していることが、目視で識別されやすくなる。また、好ましくは、値Ｔ１−１、値Ｔ１−２、値Ｔ１−３の差異は、２秒以上である。このようにすることで、検出部の感度が、正常範囲、第１警戒範囲、及び第２警戒範囲のいずれであるのか、目視で識別されやすい。例えば、正常範囲のときの時間間隔Ｔ１は２秒、第１警戒範囲のときの時間間隔Ｔ１は４秒、第２警戒範囲のときの時間間隔Ｔ１は６秒とすることができる。
【００３５】
なお、試験機のハウジングを白色半透明の素材で形成し、発光部１６の光をハウジングに乱反射させることにより、ハウジング全体を光らせて目視による確認を行い易くしてもよい。
また、試験機のハウジングを半透明とすることによる外光の影響をさけるため、光を遮断する素材で試験機のハウジングを形成した場合、目視により読み取りを行うと、作動試験（加煙試験）時に試験機を火災感知器１０から離すタイミングが遅れることが考えられる。したがって、例えば発光部１６を３０秒毎に繰り返し点滅動作をさせることで、確実に読み取り動作を行えるものとしてもよい。
また、例えば、１０秒毎に点滅と点灯とを繰り返し、所定の回数（例えば５回等）を繰り返した後で点灯状態とすることで、同様の効果が得られるようにしてもよい。
【００３６】
目視による感度の読み取りのほかに、試験機によって感度を読み取ることもできる。試験機は、例えば、発光部１６の光を受光する受光素子を備え、この受光素子から出力される発光部１６の光を受光したことを示す信号の間隔から、発光部１６の点滅の時間間隔を読み取るものである。試験機を用いることで、目視で識別できない時間間隔で発光部１６が点滅する構成であっても、火災感知器１０の感度試験を行うことができる。
【００３７】
以上のように本実施の形態の火災感知器１０は、火災の発生が検出された場合に、検出部の感度に応じた時間間隔Ｔ１で、発光部１６を点滅させるので、火災感知器１０が設置された状態で火災感知器１０の感度試験を行うことができる。したがって、火災感知器１０の試験に係る作業負担を軽減することができる。また、火災感知器１０が設置された場所で感度試験を行うことができるので、火災感知器１０を設置場所から取り外して感度試験を行う場合よりも、精度よく感度を検出することができる。
【００３８】
本実施の形態では、火災信号を火災受信機２０に出力するスイッチング回路１５と、感度の出力及び火災の報知を行う発光部１６の点灯回路１７とを備え、スイッチング回路１５及び点灯回路１７はマイコン１３によってそれぞれ制御される。このため、火災が検出された場合に、スイッチング回路１５による火災信号の出力と、発光部１６による感度の出力とのタイミングを、個別に調整することができる。
【００３９】
スイッチング回路１５による火災信号の出力と、発光部１６による感度の出力とのタイミングについては、以下の例のようにすることができる。第１の例としては、図４及び図５で説明したように、スイッチング回路１５の接点を閉じた後で、点灯回路１７を制御して発光部１６を点滅させる。これにより、発光部１６を構成する発光ダイオードなどの電気部品に大電流が流れるのを防ぐことができる。すなわち、スイッチング回路１５の接点を閉じることで、感知器回線３０にかかる電圧は、通常時の電圧（約２４Ｖ）よりも低い電圧（約９Ｖ）となるため、電圧が下がった状態で発光部１６を点滅させることで、発光部１６に過度な電流が流れるのを防ぐことができる。
【００４０】
また、第２の例としては、火災が検出された場合に、点灯回路１７を制御して発光部１６を点滅させた後に、スイッチング回路１５の接点を閉じて火災信号を出力してもよい。このようにしても、火災感知器１０が設置された状態で火災感知器１０の感度試験を行うことができるという効果を得ることができる。ただし、この場合は消防検定の規格上、火災感知器が火災を検出してから所定の時間以内に火災受信機が火災を通報する必要があるため、発光部１６の点滅は所定の時間よりも早い段階で完了できるようにする必要がある。
【００４１】
また、第３の例としては、火災が検出された場合に、スイッチング回路１５の接点を閉じて火災信号を出力するのと同時に、点灯回路１７を制御して発光部１６を点滅させてもよい。このようにしても、火災感知器１０が設置された状態で火災感知器１０の感度試験を行うことができるという効果を得ることができる。
【００４２】
また、火災受信機２０の状態に応じて、スイッチング回路１５による火災信号の出力と、発光部１６による感度の出力の動作とを異ならせることもできる。すなわち、上記実施の形態では、火災受信機２０が火災の監視状態で試験を行うものとしたが、火災受信機２０が火災の監視状態とは異なる点検状態である場合に、試験を行うようにしてもよい。この場合、例えば、火災受信機２０を点検状態に設定し、当該点検状態であることを火災受信機２０が火災感知器１０に通知する。当該通知を受信した火災感知器１０は、点検時にのみ発光部１６の点滅状態が確認しやすいように、感度の出力のための点滅動作を繰り返す回数を増やしてもよい。または、火災感知器１０は、当該点検時においてのみ、発光部１６によって感度を出力し、通常状態においては、発光部１６によって感度を出力しない構成としてもよい。
【符号の説明】
【００４３】
１０  火災感知器、１１  発光回路、１２  受光回路、１３  マイコン、１４  ＥＥＰＲＯＭ、１５  スイッチング回路、１６  発光部、１７  点灯回路、２０  火災受信機、３０  感知器回線、３１  コモン線、３２  ライン線、１３１  ＭＰＵ、１３２  メモリ、１３３  感度測定部、１３４  処理部。
【図１】
2018136846.tif 000003
【図２】
2018136846.tif 000004
【図３】
2018136846.tif 000005
【図４】
2018136846.tif 000006
【図５】
2018136846.tif 000007